(57)【要約】      （修正有）【課題】  小型化とともに記録容量の増大を図り、情報信号記録層の保護を図る。【解決手段】それぞれ情報信号記録層が設けられた第１及び第２のディスク基板２，３が接合されて形成される。第１のディスク基板２には、一方の面から突出し、その中心部に第１のセンター穴８が設けられ、先端面を回転駆動機構への装着基準面７とした膨出部６が形成され、他方の面に磁気吸引用のクランピングプレート１０が配設されるプレート用凹部１１が形成されている。第２のディスク基板３には中心部に第２のセンター穴２２が形成され、第２のセンター穴２２から一方の面側に突出する突出部２３が形成されている。第２のディスク基板３は、突出部２３を第１のディスク基板２のプレート用凹部１１に進入させて第１のディスク２に接合させたとき、先端部とプレート用凹部１１の底面との間に間隙を保持してプレート用凹部１１に進入するように形成される。【選択図】  図３
2005259207.tif 000002
【特許請求の範囲】
【請求項１】
情報信号記録層が設けられた合成樹脂製の第１のディスク基板と、
情報信号記録層が設けられた合成樹脂製の第２のディスク基板とを有し、
上記第１のディスク基板は、基板本体の中心部に位置して上記基板本体の一方の面から突出し、その中心部に第１のセンター穴が設けられ、先端面を回転駆動機構への装着基準面とした膨出部が形成されるとともに、上記基板本体の他方の面側であって上記膨出部が形成された領域内に位置して磁気吸引用のクランピングプレートが配設されるプレート用凹部が形成され、
上記第２のディスク基板は、基板本体の中心部に第２のセンター穴が形成されるとともに、上記第２のセンター穴から上記基板本体の一方の面側に突出する突出部が形成され、
上記第２のディスク基板は、上記突出部を上記プレート凹部に進入させて上記第１のディスクの他方の面側に接合され、
上記突出部は、上記第２のディスク基板が上記第１のディスク基板に接合されたとき、先端部と上記プレート用凹部の底面との間に間隙を保持して上記プレート用凹部に進入するように形成され、
上記第１のディスク基板に形成されたプレート用凹部内に配設される上記クランピングプレートは、上記突出部の一部により支持されていることを特徴とする光ディスク。
【請求項２】
上記クランピングプレートは、上記突出部の一部を変形して上記プレート用凹部内に突出させた支持突起により支持されていることを特徴とする請求項１記載の光ディスク。
【請求項３】
上記突出部の外周面と上記突出部が進入するプレート用凹部の内周面との間には、上記第１及び第２のディスク基板を接合するために用いられる接着剤の余分を吸収するための空隙が構成されるように形成されていることを特徴とする請求項１記載の光ディスク。
【請求項４】
上記突出部の先端部と上記プレート用凹部の底面との間に構成される間隙は、上記第１のディスク基板と上記第２のディスク基板とを接合する接着剤からなる中間層の厚さの誤差を吸収することを特徴とする請求項１記載の光ディスク。
【請求項５】
上記突出部は、上記第２のディスク基板に対し弾性変位可能に連接されていることを特徴とする請求項１記載の光ディスク。
【請求項６】
上記クランピングプレートは、中央部に凹状膨出部を有し、上記凹状膨出部の基端部側にフランジ部が形成され、上記フランジ部を上記プレート用凹部の底面に載置するとともに、上記フランジ部が上記突出部の一部を熱変形して上記プレート用凹部内に突出させた支持突起により支持されて上記プレート用凹部内に配設されていることを特徴とする請求項１記載の光ディスク。
【請求項７】
上記クランピングプレートは、上記プレート用凹部内に配設したとき、上記第１のディスク基板の他方の面側に一方の面側を接合した第２のディスク基板の他方の面から突出しない高さに形成されていることを特徴とする請求項６記載の光ディスク。
【請求項８】
上記クランピングプレートの凹状膨出部は、上記第１のディスク基板に設けた第１のセンター穴の内径より大きな内径を有して形成されていることを特徴とする請求項６記載の光ディスク。
【請求項９】
情報信号記録層が設けられた合成樹脂製の第１のディスク基板と、情報信号記録層が設けられた合成樹脂製の第２のディスク基板とを有し、上記第１のディスク基板は、基板本体の中心部に位置して上記基板本体の一方の面から突出し、その中心部に第１のセンター穴が設けられ、先端面を回転駆動機構への装着基準面とした膨出部が形成されるとともに、上記基板本体の他方の面側であって上記膨出部が形成された領域内に位置して磁気吸引用のクランピングプレートが配設されるプレート用凹部が形成され、上記第２のディスク基板は、基板本体の中心部に第２のセンター穴が形成されるとともに、上記第２のセンター穴内から上記基板本体の一方の面側に突出する突出部が形成され、上記第２のディスク基板は、上記突出部を上記プレート用凹部に進入させて上記第１のディスクの他方の面側に接合され、上記突出部は、上記第２のディスク基板が上記第１のディスク基板に接合されたとき、先端部と上記プレート用凹部の底面との間に間隙を保持して上記プレート用凹部に進入するように形成され、上記第１のディスク基板に形成されたプレート用凹部内に配設される上記クランピングプレートは、上記突出部の一部によりにより支持されている情報信号記録用の光ディスクと、
上記光ディスクを回転可能に収納するカートリッジ本体とを備え、
上記光ディスクは、上記膨出部を上記カートリッジ本体の一方の面側に形成した上記光ディスクを回転駆動するための回転駆動機構の少なくとも一部が臨む駆動用開口部に臨ませて上記カートリッジ本体に回転可能に収納されていることを特徴とするディスクカートリッジ。
【請求項１０】
上記カートリッジ本体の少なくとも一方の面には、上記カートリッジ本体に収納された光ディスクの信号記録領域を内外周に亘って外方に臨ませる記録及び／又は再生用開口部が設けられていることを特徴とする請求項９記載のディスクカートリッジ。
【請求項１１】
上記カートリッジ本体内には、当該カートリッジ本体に収納された光ディスクの内周側に設けられた非信号記録領域を支持するディスク支持部が設けられていることを特徴とする請求項９記載のディスクカートリッジ。
【発明の詳細な説明】
【技術分野】
【０００１】
本発明は、２枚の光ディスク基板が貼り合わせられた光ディスクであり、更に、この光ディスクを収納したディスクカートリッジに関する。
【背景技術】
【０００２】
従来、パーソナルコンピュータ等の情報処理装置、光ディスクプレーヤやビデオカメラ等の記録及び／又は再生装置、更にはテレビゲーム機の情報記録媒体として光ディスクが用いられている。
【０００３】
この種の光ディスクにあっては、記録密度の向上が図られ、記録容量の増大が図られている。例えば、直径を８ｃｍとする光ディスクにおいて、１．４ギガバイト（ＧＢ）の記録容量を有し、約３０分の動画の記録を可能としたものが提供されている。更に、光ディスクの一種であるＤＶＤ(Digital Versatile Disc)においては、直径を８ｃｍとしながら１．８ＧＢの記録容量を有し、約２時間の動画を記録可能としたものが提案されている。
【０００４】
一方、光ディスクを記録媒体に用いる光ディスクプレーヤやビデオカメラ等の記録及び／又は再生装置、更にはテレビゲーム機にあっては携帯型のものが提供されている。このような携帯型の機器にあっては、持ち運び、更には使用の利便性を考慮して、一層の小型化とともに薄型化が要求されている。
【０００５】
このように、小型化とともに薄型化が図られる記録及び／又は再生装置やテレビゲーム機の記録媒体として用いられる光ディスクにおいては、高容量化を達成しながら小型化を図ったものが要望されている。
【０００６】
そこで、光ディスクにあっては、高容量化とともに小型化を図るため、複数の記録層を多層に形成し、あるいはそれぞれ記録層を設けた複数のディスク基板を貼り合わせたものが提案されている。
【０００７】
この種の複数の記録層を備えた光ディスクとして、特開平９−２８２７１２号公報（特許文献１）に記載されたものがある。この特許文献１に記載される光ディスクは、一方の面に信号記録層を設けた２枚のディスク基板を接着剤層である中間層を介して接合して形成されている。
【０００８】
ところで、特許文献１に記載された光ディスクは、ほぼ平板な２枚のディスク基板を貼り合わせて形成されたものであるので、記録容量の増大を図ることは可能であるが、この光ディスクを記録媒体に用いる機器の小型化を達成するために十分に寄与することができない。すなわち、特許文献１に記載されるような光ディスクを、記録及び／又は再生装置等のディスク回転駆動機構に一体に回転するように支持するためには、ターンテーブルに載置した状態で他方の面から支持するためのクランプ機構等を必要とするため、機器自体の薄型化を実現することが困難である。
【発明の開示】
【発明が解決しようとする課題】
【０００９】
本発明の目的は、小型化を実現しながら記録容量の増大を図ることができる光ディスク及びこの光ディスクを収納したディスクカートリッジを提供することにある。
【００１０】
本発明の他の目的は、情報信号記録層の保護を図り、記録された情報信号の保護を図ることができる光ディスク及びこの光ディスクを収納したディスクカートリッジを提供することにある。
【００１１】
本発明の更に他の目的は、パーソナルコンピュータ等の情報処理装置、光ディスクプレーヤやビデオカメラ等の記録及び／又は再生装置、更にはテレビゲーム機等の電子機器の一層の小型化とともに薄型化に寄与できる光ディスク及びこの光ディスクを用いたディスクカートリッジを提供することにある。
【００１２】
本発明の更に他の目的は、互いに貼り合わせられる第１及び第２のディスク基板の加工誤差を吸収して高精度に一体化することができる光ディスクを提供することにある。
【００１３】
本発明の更に他の目的は、片面側よりクランピングプレートを磁気吸引して装着される回転駆動機構に対し着脱する際、ディスク基板に設けられた信号記録面への悪影響を抑え、信号記録面の保護を図ることができる光ディスクを提供することにある。
【００１４】
本発明の更に他の目的は、回転駆動機構に対し正確なセンタリングを図って装着することができる光ディスクを提供することにある。
【００１５】
本発明の更に他の目的は、収納するディスクカートリッジの薄型化を図ることができる光ディスクを提供することにある。
【課題を解決するための手段】
【００１６】
上述のような目的を達成するために提案される本発明に係る情報信号記録用の光ディスクは、情報信号記録層が設けられた合成樹脂製の第１のディスク基板と、情報信号記録層が設けられた合成樹脂製の第２のディスク基板とを有し、第１のディスク基板は、基板本体の中心部に位置して基板本体の一方の面から突出し、その中心部に第１のセンター穴が設けられ、先端面を回転駆動機構への装着基準面とした膨出部が形成されるとともに、基板本体の他方の面側であって膨出部が形成された領域に位置して磁気吸引用のクランピングプレートが配設されるプレート用凹部が形成され、第２のディスク基板は、基板本体の中心部に第２のセンター穴が形成されるとともに、第２のセンター穴から基板本体の一方の面側に突出する突出部が形成されている。第２のディスク基板は、突出部を第１のディスク基板のプレート用凹部に進入させて第１のディスクの他方の面側に接合される。第２のディスク基板に設けられる突出部は、第２のディスク基板が第１のディスク基板に接合されたとき、先端部とプレート用凹部の底面との間に間隙を保持してプレート用凹部に進入するように形成される。そして、第１のディスク基板に形成されたプレート用凹部内に配設されるクランピングプレートは、第２のディスク基板に設けた突出部により支持されている。
【００１７】
クランピングプレートは、第２のディスク基板に設けた突出部の一部を熱変形又はその他の変形方法により変形させてプレート用凹部内に突出させた支持突起により支持するようにすることができる。
【００１８】
本発明に係る光ディスクにおいて、突出部の外周面と突出部が進入するプレート用凹部の内周面との間には、第１及び第２のディスク基板を接合するために用いられる接着剤の余分を吸収するための空隙が構成されるように形成されている。
【００１９】
また、突出部の先端部とプレート用凹部の底面との間に構成される間隙は、第１のディスク基板と第２のディスク基板とを接合する接着剤からなる中間層の厚さの誤差を吸収する。
【００２０】
更に、本発明に係る光ディスクにおいて、突出部は、第２のディスク基板に対し弾性変位可能に連接されている。
【００２１】
また、クランピングプレートは、中央部に凹状膨出部を有し、この凹状膨出部の基端部側にフランジ部が形成され、フランジ部をプレート用凹部の底面に載置するとともに、フランジ部が突出部の一部を熱変形してプレート用凹部内に突出される支持突起により支持されてプレート用凹部内に配設されている。
【００２２】
更に、クランピングプレートは、プレート用凹部内に配設したとき、第１のディスク基板の他方の面側に一方の面側を接合した第２のディスク基板の他方の面から突出しない高さに形成される。クランピングプレートの凹状膨出部は、第１のディスク基板に設けた第１のセンター穴の内径より大きな内径を有して形成されている。
【００２３】
また、本発明は、上述した情報信号記録用の光ディスクを収納するカートリッジ本体を備えたディスクカートリッジであり、光ディスクは、膨出部をカートリッジ本体の一方の面側に形成した光ディスクを回転駆動するための回転駆動機構の少なくとも一部が臨む駆動用開口部に臨ませて回転可能に収納されている。
【００２４】
このディスクカートリッジを構成するカートリッジ本体の少なくとも一方の面には、カートリッジ本体に収納された光ディスクの信号記録領域を内外周に亘って外方に臨ませる記録及び／又は再生用開口部が設けられている。
【００２５】
また、カートリッジ本体内には、当該カートリッジ本体に収納された光ディスクの内周側に設けられた非信号記録領域を支持するディスク支持部が設けられている。
【発明の効果】
【００２６】
本発明に係る光ディスクは、それぞれ信号記録層が設けられる第１及び第２のディスク基板を貼り合わせて形成されるので、記録容量の高容量化が実現できる。
【００２７】
また、本発明に係る光ディスクは、第２のディスク基板が貼り合わせられる第１のディスク基板の一方の面に、先端面を回転駆動機構への装着基準面とした膨出部を設けているので、この膨出部をカートリッジ本体に設けた回転駆動機構が臨む駆動用開口部に臨ませて収納することができる。このように、光ディスクは、膨出部を駆動用開口部に臨ませてカートリッジ本体に収納することができるので、この光ディスクを回転駆動機構から外すときのディスクカートリッジの移動量を小さくすることができる。すなわち、平坦な光ディスクを収納したディスクカートリッジに対し、駆動用開口部に臨みこの開口部内に突出する膨出部の高さ分ディスクカートリッジの移動を小さくすることができるので、本発明に係る光ディスクを収納したディスクカートリッジを記録媒体に用いる電気機器の薄型化を実現できる。
【００２８】
更に、本発明に係る光ディスクは、第１のディスク基板に設けたプレート用凹部に配設されたクランピングプレートは、第２のディスク基板に設けたプレート用凹部に進入する突出部の一部を熱変形させて支持するようにしているので、接着剤を用いることなく取り付けることができるので、余分となった接着剤がセンター穴の周縁や膨出部の先端面に漏れ出ることによって回転駆動機構への装着を阻害するようなことを防止できる。
【００２９】
更にまた、本発明に係る光ディスクは、第１及び第２のディスク基板を接合するために用いられる接着剤の余分を吸収するための空隙が設けられているので、センター穴の周縁や膨出部の先端面に接着剤が漏れ出ることによって回転駆動機構への装着を阻害するようなことを防止でき、高精度に位置決めして回転駆動機構への装着を行うことができる。
【００３０】
そして、本発明に係る光ディスクにおいて、第２のディスク基板に設けた突出部は、第２のディスク基板を第１のディスク基板に接合したとき、先端部とプレート用凹部の底面との間に間隙を保持してプレート用凹部に進入するように形成されているので、第１及び第２のディスク基板を接合する接着剤からなる中間層の厚さの誤差を吸収でき、更には互いに接合される第１及び第２のディスク基板の厚さの誤差を吸収して接合することができるので、第１及び第２のディスク基板を確実にしかも高精度に接合することができる。
【００３１】
更に、クランピングプレートは、第１のディスク基板に設けたプレート用凹部内に配設され、第２のディスク基板に設けた突出部の一部によって接合されることなく支持されているので、クランピングプレートを第１のディスク基板側に押圧する力が付与されたときには膨出部が撓み、クランピングプレートを第２のディスク基板側に押圧する力が付与されたときには突出部が撓むことによって押圧力を吸収するようにしているので、信号記録層が設けられた基板本体側に撓みによる悪影響を与えることがなく、光ディスクの保護を図ることができる。
【００３２】
更にまた、本発明に係る光ディスクに用いられるクランピングプレートは、中央部に設けた凹状膨出部の内径を第１のディスク基板に設けた第１のセンター穴の内径より大きく形成しているので、第１のセンター穴に回転駆動機構に設けたセンタリング部を係合させて光ディスクの平面方向の位置決めを行うようにした場合に、第１のディスク基板に設けた第１のセンター穴を用いて正確な位置決めを行うことができる。
【発明を実施するための最良の形態】
【００３３】
以下、本発明に係る光ディスク及びこの光ディスクを収納したディスクカートリッジを図面を参照して具体的に説明する。
【００３４】
まず、本発明に係る光ディスク１を説明すると、本発明に係る光ディスク１は、図１及び図２に示すように、第１のディスク基板２と第２のディスク基板３とを接合して形成されている。第１及び第２のディスク基板２，３は、それぞれ光透過性を有する合成樹脂材料を成型して形成されている。本例においては、第１及び第２のディスク基板２，３は、透明なポリカーボネート樹脂を用いて形成されている。
【００３５】
そして、第１及び第２のディスク基板２，３は、図３に示すように、接着剤層である中間層４を介して接合され一体化されている。中間層４は、光透過性を有する紫外線硬化樹脂等の接着性を有する合成樹脂により形成されている。
【００３６】
第２のディスク基板３が接合されて本発明に係る光ディスク１を構成する第１のディスク基板２は、図２及び図３に示すように、基板本体５の中心部に位置して基板本体５の一方の面から突出して膨出部６が設けられている。膨出部６は、基板本体５の中心Ｐ０に中心を一致させて円筒状に形成されている。この膨出部６の先端面は、この第１のディスク基板２を用いて形成された光ディスク１をディスク回転駆動機構に装着するときの装着基準面７を構成する。すなわち、光ディスク１は、膨出部６の先端面に構成された装着基準面７を記録及び／又は再生装置側に設けられるディスク回転駆動機構のディスク載置面に載置することにより、高方向の位置決めが図られて回転駆動機構への装着が行われる。なお、ディスク載置面は、回転駆動機構のターンテーブルにより構成される。
【００３７】
また、膨出部６の中心部には、基板本体５の中心Ｐ０に中心を一致させて第１のセンター穴８が設けられている。第１のセンター穴８は、光ディスク１をディスク回転駆動機構に装着したとき、光ディスク１の水平方向の位置決めを行う位置決め部として機能する。すなわち、光ディスク１は、回転駆動機構に装着されるとき、回転駆動機構の中心部に設けたセンタリング部が第１のセンター穴８に係合し、センタリング部の外周面が第１のセンター穴８の内周面に当接することにより、水平方向の位置決めが図られる。このとき、光ディスク１は、回転駆動機構の回転中心に回転中心を一致させたセンタリングが図られた状態になる。
【００３８】
本例において、膨出部６は、図３に示すように、基板本体５に対し傾斜して突出する連結部９を介して基板本体５に連結されている。連結部９は、第１のディスク基板２を構成する合成樹脂の性質を利用として、膨出部６を押圧する外力等の負荷が加えられたとき、膨出部６を第１のディスク基板２の厚さ方向に弾性変位させる弾性変位部として機能するように形成されている。したがって、連結部９は、膨出部６に負荷が加えられたとき、容易に弾性変位するように、膨出部６の厚さより薄く形成されている。
【００３９】
第１のディスク基板２を構成する基板本体５の他方の面側には、本発明に係る光ディスク１を回転駆動装置に装着するとき、回転駆動機構側に設けられるマグネットにより吸引され、光ディスク１の回転駆動機構への保持を図るクランピングプレート１０が配設されるプレート用凹部１１が設けられている。プレート用凹部１１は、図３に示すに、基板本体５の他方の面側に設けられた膨出部６が形成された領域内に位置にして形成されている。このプレート用凹部１１は、第１のセンター穴８を囲むように、このセンター穴８より大きな径をもって形成され、その底面は、クランピングプレート１０が載置されるプレート載置面１２とされている。プレート載置面１２は、クランピングプレート１０が安定して載置されるように平坦な面として形成されている。また、プレート用凹部１１の周面１３は、傾斜した連結部９に対応する傾斜面として形成されている。
【００４０】
そして、第２のディスク基板３が接合される第１のディスク基板２の他方の面側には、第１の情報信号記録層１４が設けられている。第１の情報信号記録層１４には、オーディオデータやビデオデータ等のデータや、テレビゲーム等のアプリケーションソフトのデータが微小な凹凸パターンの連続であるピットパターンにより記録されている。
【００４１】
本例では、データが予め記録されたＲＯＭ型の光ディスク１の例を挙げて説明するが、本発明に係る光ディスク１は、データの記録を可能としたものであってもよい。本発明を記録可能な光ディスクに適用する場合には、第１の情報信号記録層１４は、光学的にデータの記録を可能とする記録層によって構成される。
【００４２】
第１のディスク基板２の他方の面側に中間層４を介して接合される第２のディスク基板３は、図１及び図３に示すように、基板本体２１の中心部に第２のセンター穴２２が形成されている。そして、第２のディスク基板３には、基板本体２１の一方の面側に突出するように突出部２３が形成されている。突出部２３は、第２のセンター穴２２の周縁から基板本体２１の一方の面側に向かって傾斜して突出するようにリング状に形成されている。
【００４３】
突出部２３は、図３に示すように、第２のディスク基板３を第１のディスク基板２の他方の面側に接合したとき、第１のディスク基板２に設けたプレート用凹部１１内に進入し得る大きさに形成されている。また、突出部２３は、プレート用凹部１１内に進入したとき、図４に示すように、先端部２４側の最も一方の面側に突出した突出面２３ａとプレート用凹部１１の底面であるプレート載置面１２との間に一定の間隙Ｃ１を保持し得る突出量をもって形成されている。この間隙Ｃ１は、中間層４の厚さの誤差を吸収して、第１のディスク基板２と第２のディスク基板３とを確実に接合するように機能する。例えば、中間層４の厚さが規定より薄い場合であっても、第１及び第２のディスク基板２，３とを密着させて接合することを可能となし、第１及び第２のディスク基板２，３が確実に接合された光ディスク１を得ることができる。
【００４４】
また、突出部２３をプレート用凹部１１に進入させたときに間隙Ｃ１が保持されることにより、プレート用凹部１１の深さや、このプレート用凹部１１に進入する突出部２３の突出量の公差を吸収して第１及び第２のディスク基板２，３とを中間層４を介して確実に接合することが可能となる。
【００４５】
更に、突出部２３は、図３及び図４に示すように、プレート用凹部１１に進入されたとき、基板本体２１の一方の面側に臨む外周面２３ｂとプレート用凹部１１の周面１３との間に空隙２５が構成されるように形成されている。この空隙２５は、第１及び第２のディスク基板２，３を接合する中間層４を構成する接着剤の余分を吸収する。このような空隙２５が設けられることにより、第１及び第２のディスク基板２，３を接合するために用いられる接着剤の余分が空隙２５により吸収されるため、接着剤がプレート用凹部１１の装着基準面７側や第１のセンター穴８の内周面側、更に装着基準面７側に漏れ出ることが防止され、漏れ出た接着剤により回転駆動機構への正確な装着ができなくなるようなことが防止できる。
【００４６】
ところで、突出部２３の基板本体２１への連接部側には、この連接部の厚さを薄くするようにして凹部２６が設けられている。この凹部２６は、第２のディスク基板３を構成する合成樹脂の性質を利用として弾性変位部として機能する。したがって、突出部２３は、押圧する外力等の負荷が加えられたとき、凹部２６を中心にして第２のディスク基板３の厚さ方向に弾性変位する。
【００４７】
また、突出部２３の先端部２４には、図３に示すように、熱変形部２７が設けられている。熱変形部２７は、図５に示すように、超音波印加装置等を用いて熱変形されることにより、プレート用凹部１１内に配設されたクランピングプレート１０を支持する支持突起２８を構成する。
【００４８】
そして、第２のディスク基板３の一方の面である第１のディスク基板２への接合面側には、第２の情報信号記録層２９が設けられている。第２の情報信号記録層２９には、第１のディスク基板２に設けられる第１の情報信号記録層１４と同様に、オーディオデータやビデオデータ等のデータや、テレビゲーム等のアプリケーションソフトのデータが微小な凹凸パターンの連続であるピットパターンにより記録されている。
【００４９】
本発明に係る光ディスク１は、データの記録を可能としたものであってもよいので、第２のディスク基板３に設けられる第２の情報信号記録層２９は、光学的にデータの記録を可能とする記録層によって構成してもよい。
【００５０】
ここで、本発明に係る光ディスク１に用いられるクランピングプレート１０を説明する。本発明に係る光ディスク１は、磁気吸引力を利用して回転駆動機構に装着されるように構成されている。そこで、クランピングプレート１０は、回転駆動機構側に設けたマグネットにより吸引されるように、鉄系の金属板等の磁性材料を用いて形成されている。このクランピングプレート１０は、図１及び図３に示すように、中央部に凹状膨出部３１が形成され、この凹状膨出部３１の基端部側にフランジ部３２が形成されている。クランピングプレート１０は、図３に示すように、フランジ部３２をプレート載置面１２上に載置してプレート用凹部１１内に配設される。
【００５１】
そして、クランピングプレート１０は、図５に示すように、突出部２３の先端部２４に設けた熱変形部２７を熱変形して形成された支持突起２８によりフランジ部３２が支持されることにより、プレート用凹部１１内に取り付けられる。
【００５２】
ところで、プレート用凹部１１内に配設されたクランピングプレート１０は、プレート用凹部１１内に配設したとき、第１のディスク基板２の他方の面側に接合した第２のディスク基板３の他方の面から突出しない高さに形成される。このようにクランピングプレート１０を形成することにより、クランピングプレート１０を設けることにより光ディスク１の厚さを厚くすることもない。
【００５３】
また、クランピングプレート１０に設けられた凹状膨出部３１は、第１のディスク基板２に設けた第１のセンター穴８の内径より大きな内径を有して形成されている。これは、第１のセンター穴１０に回転駆動機構に設けたセンタリング部が係合したとき、クランピングプレート１０にセンタリング部が当接するなどして、正確なセンタリングが阻害することがないようにするためである。
【００５４】
なお、第２のディスク基板３に設けられた第２のセンター穴２２は、クランピングプレート１０を収納するに足る大きさ差に形成される。
【００５５】
次に、上述のような構成を備えた本発明に係る光ディスク１を製造する工程を説明する。
【００５６】
本発明に係る光ディスク１を製造するためには、第１の情報信号記録層１４を形成した第１のディスク基板２と、同じく第２の情報信号記録層２９を設けた第２のディスク基板３を用意する。
【００５７】
次いで、第１のディスク基板２の第１の情報信号記録層１４が形成された他方の面側に中間層４を構成する接合用の合成樹脂、例えば紫外線硬化型樹脂を塗布する。紫外線硬化型樹脂は、スピンコート法等を用いて第１のディスク基板２の他方の面側に均一に塗布される。
【００５８】
次に、第１のディスク基板２の紫外線硬化型が塗布された他方の面上に第２のディスク基板３を接合する。このとき、第２のディスク基板３は、図３に示すように、その中心を第１のディスク基板２の中心Ｐ０に一致させ、突出部２３をプレート用凹部１１内に進入させて、第１のディスク基板２上に接合される。
【００５９】
第１及び第２のディスク基板２，３の接合は、光透過性を有する第１のディスク基板２又は第２のディスク基板３から紫外線を照射し、中間層４を構成する紫外線硬化型樹脂を降下することによって行われる。
【００６０】
第１及び第２のディスク基板２，３を接合した後、プレート用凹部１１内にクランピングプレート１０を配設する。クランピングプレート１０は、第２のセンター穴２２を介してプレート用凹部１１内に配設される。このとき、クランピングプレート１０は、図３に示すように、凹状膨出部３１を第２のディスク基板３側に突出するようにして、フランジ部３２をプレート載置面１２上に載置して配設される。また、クランピングプレート１０は、その中心を第１のディスク基板２の中心Ｐ０にほぼ一致させるようにして配設される。
【００６１】
次いで、熱変形部２７に超音波溶着装置から超音波を印加し、図５に示すように、フランジ部３２上に熱変形する支持突起２８を形成し、この支持突起２８によりフランジ部３２を支持する。クランピングプレート１０は、フランジ部３２が支持突起２８により支持されることにより、プレート用凹部１１内に配設された状態を維持する。
【００６２】
このように、第１及び第２のディスク基板２，３を接合し、クランピングプレート１０をプレート用凹部１１内に配設支持することによって本発明に係る光ディスク１が得られる。
【００６３】
そして、第１のディスク基板２上に接合された第２のディスク基板３の他方の面側には、第１及び第２の情報信号記録層１４，２９に記録された情報信号の内容やコンテンツの題名等を表示する文字や図形が印刷された印刷層３３が設けられる。この印刷層３３は、第２のディスク基板３を第１のディスク基板２に接合する前に形成するようにしてもよい。
【００６４】
上述の例において、突出部２３の一部を熱変形させて支持突起２８を形成し、この支持突起２８によりクランピングプレート１０を支持するようにしているが、支持突起２８の形成は、熱変形を用いるのみならず他の変形方法を用いてもよい。
【００６５】
また、クランピングプレート１０は、第２のディスク基板３に設けた突出部２３の一部で支持されればよく、この支持突起２３に予め支持突起２８を設けておき、第２のディスク基板３を第１のディスク基板２に接合する際、プレート用凹部１１内に配設しておきたクランピングプレート１０を支持するようにしてもよい。
【００６６】
上述のように構成された本発明に係る光ディスク１は、図６に示すように、ターンテーブル４１とセンタリング部４２を備えた回転駆動機構４３に装着されて回転駆動される。すなわち、光ディスク１は、膨出部５の先端の装着基準面７をターンテーブル４１上に載置するとともに、第１のセンター穴１０にセンタリング部４２を係合させて回転駆動機構４３に装着される。このとき、光ディスク１は、ターンテーブル４１内に設けた図示しないマグネットによりクランピングプレート１０が吸引されることにより、ターンテーブル４１と一体に回転するように保持される。
【００６７】
なお、光ディスク１の第１及び第２の情報信号記録層１４，２９に記録された情報信号は、光ヘッドから出射される光ビームを第１のディスク基板２の一方の面側から照射し、第１又は第２の情報信号記録層１４，２９から反射される戻り光を光ヘッドにより検出することにより読み出される。
【００６８】
ところで、本発明に係る光ディスク１に設けられるクランピングプレート１０は、接着剤等の接合手段を用いることなく支持突起２６により支持されてプレート用凹部１１内に取り付けられているので、接合部の剥がれに起因してプレート用凹部１１内から脱落することもない。特に、本例の光ディスク１において、クランピングプレート１０は、第１のディスク基板２の厚さ方向に弾性変位可能な膨出部６に設けたプレート載置面１２上に載置され、第２のディスク基板３の厚方向に弾性変位可能な突出部２３に設けた支持突起２８により支持するようにしているので、膨出部６や突出部２３が弾性変位しても、膨出部５や突出部２３が弾性復帰することにより、再び支持突起２８により支持されるようになりプレート用凹部１１内に支持された状態を確実に維持することができる。この状態を、更に以下において説明する。
【００６９】
本発明に係る光ディスク１において、クランピングプレート１０に図７中矢印Ｙ１方向のプレート載置面１２側に押圧する力が加えられると、膨出部１０は、連結部９を弾性変位部にして図７中矢印Ｙ１方向に弾性変位する。このとき、クランピングプレート１０は、図７に示すように、支持突起２８から離間し、支持突起２８によるプレート載置面１２側への押圧支持が解除されてしまう。しかし、図７中矢印Ｙ１方向の押圧力が解除されると、膨出部６は図７中反矢印Ｙ１方向に弾性復帰し、クランピングプレート１０は、再び支持突起２８によりプレート載置面１２側に押圧支持されるようになる。
【００７０】
また、クランピングプレート１０に図８中矢印Ｙ２方向の突出部２３側に押圧する力が加えられると、突出部２３は、凹部２６が形成された部分を弾性変位部にして図８中矢印Ｙ２方向に弾性変位する。このとき、クランピングプレート１０は、図８に示すように、プレート載置面１２から離間し、支持突起２８によるプレート載置面１２側への押圧支持が解除されてしまう。しかし、図８中矢印Ｙ２方向の押圧力が解除されると、突出部２３は図８中反矢印Ｙ２方向に弾性復帰し、クランピングプレート１０は、再び支持突起２８によりプレート載置面１２側に押圧支持されるようになる。
【００７１】
また、本発明に係る光ディスク１は、クランピングプレート１０に負荷が加えられたとき、クランピングプレート１０を支持するプレート載置面１２が設けられた膨出部６や支持突起２８が設けられる突出部２３が弾性変位し、クランピングプレート１０に加えられる負荷の影響が第１及び第２の情報信号記録層１４，２９が設けられた基板本体５，２１側に伝達されることが防止される。したがって、情報信号が記録された第１及び第２の情報信号記録層１４，２９の確実な保護を図り、記録された情報信号の確実な保護を図ることができる。
【００７２】
ところで、本発明に係る光ディスク１は、第１及び第２の情報信号記録層１４，２９を設け記録容量の高容量化を達成するとともに小型化が図られている。具体的に本発明に係る光ディスク１は、図１に示すように直径Ｒ１を６０ｍｍとし、図４に示すように第１及び第２のディスク基板２，３の厚さＤ１をそれぞれ０．４ｍｍとし、第１及び第２のディスク基板２，３を接合する中間層４の厚さＤ２を０．０４ｍｍとし、印刷層３３を除いた全体の厚さＤ３を０．８４ｍｍとして形成されている。そして、第１のディスク基板２の一方の面側に突設された膨出部６は、連結部９を含み第１のディスク基板２の一方の面から０．８２ｍｍの高さＨ１で突出されている。膨出部６は、図２に示すように、直径Ｒ２を１６．４ｍｍとした円筒形に形成されている。この膨出部６の中心部に形成される第１のセンター穴８は、直径Ｒ３を１１ｍｍとして形成されている。
【００７３】
また、膨出部６は、プレート載置面１２が形成された部分の厚さＤ４を０．７２ｍｍとしている。このプレート載置面１２が形成され部分の厚さＤ４及び膨出部６の突出高さＨ１からプレート用凹部１１は、０．５ｍｍの深さで形成され、プレート載置面１２から第２のディスク基板３の他方の面に至る深さＤ５は、０．９４ｍｍとされている。
【００７４】
そして、プレート用凹部１１は、プレート載置面１２が設けられる平坦な面として形成された底面の直径Ｒ４を１５ｍｍとしている。
【００７５】
また、第２のディスク基板３に設けられる第２のセンター穴２２は、熱変形部２７が熱変形される前の状態で、直径Ｒ５を１３ｍｍとして形成されている。
【００７６】
第１のセンター穴８と第２のセンター穴２２の大きさの関係から、プレート載置面１２は、２ｍｍの幅Ｗ１で第２のセンター穴２２に臨ませている。
【００７７】
そして、プレート載置面１２にフランジ部３２を載置して配設されるクランピングプレート１０は、直径Ｒ６を１２．８ｍｍとして形成されている。クランピングプレート１０は、プレート用凹部１１内に配設されたとき、第２のディスク基板３の他方の面から突出しないようにするため、プレート載置面１２から第２のディスク基板３の他方の面に至る深さＤ５より低い高さＨ２に形成されている。
【００７８】
なお、本発明に係る光ディスク１の膨出部６先端の装着基準面７から第２のディスク基板３の他方の面に至る厚さＤ６は、１．６６ｍｍとされている。
【００７９】
ところで、本発明に係る光ディスク１は、第１及び第２の情報信号記録層１４，２９を設け記録容量の高容量化を達成するとともに小型化が図られている。具体的に本発明に係る光ディスク１は、図１に示すように直径Ｒ１を６４ｍｍ以下、具体的には６０ｍｍに形成されている。この光ディスク１を構成する第１及び第２のディスク基板２，３は、第１及び第２の情報信号記録層１４，２９が設けられた部分で、その厚さＤ１をそれぞれ０．３ｍｍ以上で０．６ｍｍ以下の厚さで、具体的には０．４ｍｍの厚さに形成されている。また、第１及び第２のディスク基板２，３を接合する中間層４は、その厚さＤ２をほぼ０．０４ｍｍとしている。よって、本発明に係る光ディスク１は、印刷層３３を除いた全体の厚さＤ３を１．２４ｍｍ〜０．６４ｍｍ程度としている。
【００８０】
そして、第１のディスク基板２の一方の面側に突設された膨出部６は、連結部９を含み第１のディスク基板２の一方の面から０．８ｍｍ程度の高さＨ１で突出されている。この膨出部６は、図２に示すように、直径Ｒ２をほぼ１６．４ｍｍとした円筒形に形成されている。この膨出部６の中心部に形成される第１のセンター穴８は、直径Ｒ３をほぼ１１ｍｍとして形成されている。
【００８１】
更に具体的に、膨出部６は、プレート載置面１２が形成された部分の厚さＤ４をほぼ０．７２ｍｍとしている。このプレート載置面１２が形成され部分の厚さＤ４及び膨出部６の突出高さＨ１からプレート用凹部１１は、ほぼ０．５ｍｍの深さで形成され、プレート載置面１２から第２のディスク基板３の他方の面に至る深さＤ５は、０．９４ｍｍとされている。  そして、プレート用凹部１１は、プレート載置面１２が設けられる平坦な面として形成された底面の直径Ｒ４を１５ｍｍとしている。
【００８２】
また、第２のディスク基板３に設けられる第２のセンター穴２２は、熱変形部２７が熱変形される前の状態で、直径Ｒ５を１３ｍｍとして形成されている。
【００８３】
第１のセンター穴８と第２のセンター穴２２の大きさの関係から、プレート載置面１２は、２ｍｍの幅Ｗ１で第２のセンター穴２２に臨ませている。
【００８４】
そして、プレート載置面１２にフランジ部３２を載置して配設されるクランピングプレート１０は、直径Ｒ６を１２．８ｍｍとして形成されている。クランピングプレート１０は、プレート用凹部１１内に配設されたとき、第２のディスク基板３の他方の面から突出しないようにするため、プレート載置面１２から第２のディスク基板３の他方の面に至る深さＤ５より低い高さＨ２に形成されている。
【００８５】
なお、本発明に係る光ディスク１の膨出部６先端の装着基準面７から第２のディスク基板３の他方の面に至る厚さＤ６は、１．６６ｍｍとされている。
【００８６】
また、第２のディスク基板３の突出部２３の突出面２３ａとプレート用凹部１１の底面であるプレート載置面１２との間に構成される間隙Ｃ１は、０．１ｍｍ以下に設定される。
【００８７】
上述のように構成された本発明に係る光ディスク１は、図９及び図１０に示すように、上下一対のハーフ５３，５４を突き合わせ結合したカートリッジ本体５５内に収納されてディスクカートリッジ５１を構成する。
【００８８】
本発明に係る光ディスク１を収納するカートリッジ本体５５は、図９及び図１０に示すように、このディスクカートリッジ５１が装脱されるディスク記録及び／又は再生装置への挿入端側となる一側面である前面側を円弧状部５６として形成している。これは、収納される光ディスク１の小型化に合わせ、ディスクカートリッジ５１の一層の小型化を図ったものである。
【００８９】
カートリッジ本体５５の一方の面である下面を構成する下ハーフ５４の中央部には、このディスクカートリッジ５１が装着されるディスク記録及び／又は再生装置側に設けられた回転駆動機の一部であるターンテーブルが臨む円形の駆動用開口部５７が設けられている。また、カートリッジ本体５５の下面側には、このカートリッジ本体５５に収納された光ディスク１の信号記録領域を内外周に亘って外方に臨ませる記録及び／又は再生用開口部となるヘッド部用開口部５８が形成されている。このヘッド部用開口部５８は、カートリッジ本体５５の円弧状部５６とされた前面に直交する一方の側面側に位置し、駆動用開口部５７に近接した位置から一方の側面に亘って矩形状に形成されている。すなわち、ヘッド部用開口部５８は、カートリッジ本体５５に収納された光ディスク１の信号記録領域の一部を内外周に亘って外方に臨ませる足る大きさの矩形状に形成されている。
【００９０】
本発明に係る光ディスク１は、一方の面側から光ビームを照射することによって情報信号の再生が行われ、又は情報信号の記録が行われるので、ヘッド用開口部５８は、下ハーフ５４側にのみ設けられ、上ハーフ５３側には一切の開口部も設けられることなく平坦面とされている。
【００９１】
また、カートリッジ本体５５には、ヘッド用開口部５８を開閉するシャッタ部材５９が取り付けられている。シャッタ部材５９は、ディスクカートリッジ５１が記録及び／又は再生装置に装着されない非使用状態にあるときには、ヘッド用開口部５８を閉塞した位置に移動され、カートリッジ本体５５に収納した光ディスク１の保護を図るようにしている。
【００９２】
そして、本発明に係る光ディスク１は、図１０及び図１１に示すように、膨出部６を駆動用開口部５７に臨ませてカートリッジ本体５５に回転可能に収納される。
【００９３】
さらに、カートリッジ本体５５には、このカートリッジ本体５５に収納された光ディスク１の内周側に設けられた非信号記録領域を支持するディスク支持部６０，６１が設けられている。ディスク支持部６０，６１は、図１１に示すように、上下ハーフ５３，５４の各内面に設けられている。
【００９４】
カートリッジ本体５５に収納された光ディスク１は、回転駆動機構に装着されない状態にあっては、図１１に示すように、膨出部６を駆動用開口部５７内に臨ませ、下ハーフ５４側に位置されている。このとき、光ディスク１は、内周側の非信号記録領域が下ハーフ５４に設けたディスク支持部６１により支持されるので、信号記録領域部分のカートリッジ本体５５の内面への接触が防止される。また、光ディスク１が上ハーフ５３側に押し上げられたときには、上ハーフ５３側に設けたディスク支持部６０により内周側の非信号記録領域が支持されるので、信号記録領域部分のカートリッジ本体５５の内面への接触が防止される。光ディスク１は、カートリッジ本体５５内で上下に移動しても、内周側の非信号記録領域がディスク支持部６０，６１により支持され、信号記録領域部分のカートリッジ本体５５の内面への接触が防止されるので、少なくとも信号記録領域部分の損傷を防止し、記録された情報信号の保護を図ることができる。
【００９５】
ところで、本発明に係る光ディスク１を収納したディスクカートリッジ５１は、全体をほぼ均一の厚さとした光ディスクを収納したディスクカートリッジに比し、回転駆動機構に光ディスク１を装脱させるために移動する距離を小さくすることができる。
【００９６】
すなわち、光ディスク１は膨出部６が設けられることにより、この膨出部６をカートリッジ本体５５に設けた駆動用開口部５７に進入させることができる。その結果、前述した図６に示すように、ターンテーブル４１上に膨出部６が支持され、この膨出部６に設けた第１のセンター穴８にセンタリング部４２を係合させて回転駆動機構４３に装着された光ディスク１を取り外すとき、ディスクカートリッジ５１は、膨出部６部分がターンテーブル４１から離脱する高さ分上方に移動されればよい。このとき、膨出部６は駆動用開口部５７に進入させた状態となるので、ディスクカートリッジ５１は、膨出部６を備えない平坦な光ディスクを収納したもの比し、駆動用開口部５７に進入した分移動量を小さくすることができる。
【００９７】
したがって、本発明に係る光ディスク１を収納したディスクカートリッジ５１を記録媒体に用いることにより、機器自体の薄型化を図ることができる。
【００９８】
本発明に係る光ディスク１は、上述したような円弧状部５６を設けたディスクカートリッジ５１のみならず、矩形状に形成されたディスクカートリッジに収納したものであってもよい。
【００９９】
また、上述の例では、本発明を再生専用型の光ディスク１に適用した例を挙げて説明したが、本発明においては、第１及び第２の情報信号記録層１４、２９の双方又はいずれか一方を情報信号の再記録を可能する記録層とすることによって記録再生型のものとして構成してもよい。
【図面の簡単な説明】
【０１００】
【図１】本発明に係る光ディスクを示す斜視図である。
【図２】本発明に係る光ディスクを膨出部が形成された下面側から見た斜視図である。
【図３】本発明に係る光ディスクを示す断面図である。
【図４】本発明に係る光ディスクの要部を示す断面図である。
【図５】支持突起によりクランピングプレートを支持してプレート用凹部に取り付けた状態を示す断面図である。
【図６】光ディスクを回転駆動機構に装着した状態を示す断面図である。
【図７】クランピングプレートを膨出部側に押し下げる負荷が加えられた状態を示す断面図である。
【図８】クランピングプレートを突出部側に押し上げる負荷が加えられた状態を示す断面図である。
【図９】本発明に係る光ディスクを収納したディスクカートリッジを上ハーフ側から見た斜視図である。
【図１０】上記ディスクカートリッジを下ハーフ側から見た斜視図である。
【図１１】光ディスクを収納した状態を示すディスクカートリッジの断面図である。
【符号の説明】
【０１０１】
１  光ディスク、  ２  第１のディスク基板、  ３  第２のディスク基板、  ５  基板本体、  ６  膨出部、  ７  装着基準面、  ８  第１のセンター穴、  １０  クランピングプレート、  １４  第１の情報信号記録層、  ２１  基板本体、  ２２  第２のセンター穴、  ２３  突出部、  ２４  先端部、  ２５  空隙、  ２７  支持突起
【図１】
2005259207.tif 000003
【図２】
2005259207.tif 000004
【図３】
2005259207.tif 000005
【図４】
2005259207.tif 000006
【図５】
2005259207.tif 000007
【図６】
2005259207.tif 000008
【図７】
2005259207.tif 000009
【図８】
2005259207.tif 000010
【図９】
2005259207.tif 000011
【図１０】
2005259207.tif 000012
【図１１】
2005259207.tif 000013
【手続補正書】
【提出日】平成17年3月8日(2005.3.8)
【手続補正１】
【補正対象書類名】特許請求の範囲
【補正対象項目名】請求項６
【補正方法】変更
【補正の内容】
【請求項６】
上記クランピングプレートは、中央部に凹状膨出部を有し、上記凹状膨出部の基端部側にフランジ部が形成され、上記フランジ部を上記プレート用凹部の底面に載置するとともに、上記フランジ部が上記突出部の一部を変形して上記プレート用凹部内に突出させた支持突起により支持されて上記プレート用凹部内に配設されていることを特徴とする請求項１記載の光ディスク。
【手続補正２】
【補正対象書類名】明細書
【補正対象項目名】００２１
【補正方法】変更
【補正の内容】
【００２１】
また、クランピングプレートは、中央部に凹状膨出部を有し、この凹状膨出部の基端部側にフランジ部が形成され、フランジ部をプレート用凹部の底面に載置するとともに、フランジ部が突出部の一部を変形してプレート用凹部内に突出される支持突起により支持されてプレート用凹部内に配設されている。
【手続補正３】
【補正対象書類名】明細書
【補正対象項目名】００２８
【補正方法】変更
【補正の内容】
【００２８】
更に、本発明に係る光ディスクは、第１のディスク基板に設けたプレート用凹部に配設されたクランピングプレートは、第２のディスク基板に設けたプレート用凹部に進入する突出部の一部を変形させて支持するようにしているので、接着剤を用いることなく取り付けることができるので、余分となった接着剤がセンター穴の周縁や膨出部の先端面に漏れ出ることによって回転駆動機構への装着を阻害するようなことを防止できる。